Podtech/llm-jp-corpus-v4-ja_patent huggingface dataset:
(57)【要約】【課題】本発明は内部にて濃度の高まる二酸化炭素を、除去あるいは低減しつつ、リラクゼーション効果を高めた高気圧酸素カプセルを提供する。【解決手段】内部に入っている人間の呼気に含まれている二酸化炭素を、除去あるいは低減するための装置を具備し、かつ、該二酸化炭素除去あるいは低減装置に、音響装置を組み込んだことを特徴とする高気圧酸素カプセル。【選択図】図２
2011143223.tif 000002
【特許請求の範囲】
【請求項１】
内部に入っている人間の呼気に含まれている二酸化炭素を、除去あるいは低減するための装置を具備したことを特徴とする高気圧酸素カプセル。
【請求項２】
該二酸化炭素除去あるいは低減装置に音響装置を組み込んだことを特徴とする請求項１の高気圧酸素カプセル。
【発明の詳細な説明】
【技術分野】
【０００１】  本発明は、カプセル内部に入っている人間の呼気に含まれている二酸化炭素を除去あるいは低減するための装置を具備し、かつ、該二酸化炭素除去あるいは低減装置に音響装置を組み込んだ高気圧酸素カプセルに関するものである。
【背景技術】
【０００２】  従来の高気圧酸素カプセルでは、該カプセル内部に入っている人間の呼気に含まれている二酸化炭素は何ら処理されることなく、一定気圧に保たれた該カプセル内に滞積し、１時間後にはその濃度は約３００００ｐｐｍにも達していた。
【発明の開示】
【発明が解決しようとする課題】
【０００３】そのために、次のような問題点があった。
（イ）酸素の吹出し口を、内部に入っている人間の口元に向けて配置し、直接的に吹出した酸素を吸う必要があるため、内部での体勢に制約があった。
（ロ）そのため、高いリラクゼーション効果を得ることが難しかった。
（ハ）何らかの理由で酸素供給が行えなくなった場合、酸素不足による何らかの人体障害を負う危険性があった。
本発明はこれらの問題点を解決しようとするものである。
【課題を解決するための手段】
【０００４】カプセル内部に入っている人間の呼気に含まれている二酸化炭素を、除去あるいは低減するための装置を具備し、かつ、該二酸化炭素除去あるいは低減装置に音響装置を組み込んだことを特徴とする高気圧酸素カプセル。
【発明の効果】
【０００５】本発明による二酸化炭素除去媒体に消石灰を用いた除去処理装置の実験によれば、内容積約１．１立米の高気圧酸素カプセルにおいて、無処理の場合、１時間後には二酸化炭素濃度が約３００００ｐｐｍに達するが、本発明の除去処理装置に約２００ｇの消石灰粒を除去処理媒体として用いた結果、１時間後には約１５０００ｐｐｍ以下まで二酸化炭素濃度を低減することが可能であった。これによりカプセル内部の息苦しさが無くなり、口元に新鮮な酸素を吹出す必要がないことから、横向きにも、うつ伏せにもなることもでき、音響装置を利用して好みの音楽などを聴きながら、より一層リラクゼーション効果を高めることが可能となる。
【発明を実施するための最良の形態】
【０００６】以下、本発明の実施形態の一例を図１、図２、図３、図４、図５にて説明する。【０００７】（イ）従来の高気圧酸素カプセル１の内部にはベッド２、加圧バルブ３、酸素吹出しノズル４、緊急排気バルブ５が具備されている。（図１参照）
（ロ）本発明による高気圧酸素カプセルでは更に二酸化炭素除去処理装置６、オーディオ再生装置７、電源コンセント８を具備する。（図２参照）
（ニ）二酸化炭素除去処理装置６は、筒体６ａ、電動ファン６ｂ、除去処理媒体カートリッジ６ｃ、網蓋６ｄ、網蓋ヒンジ６ｅ、網蓋取手６ｆ、電源プラグ６ｇ、電源スイッチ６ｈから成り、網蓋６ｄは、網蓋ヒンジ６ｅを中心に網蓋取手６ｆを持って開閉可能であり、除去処理媒体カートリッジ６ｃの交換を容易にする。また、電動ファン６ｂから電源スイッチ６ｈを経由して結線されている。電源プラグ６ｇは電源コンセント８に接続されている。（図３参照）
（ホ）音響装置７は、アンプ装置７ａ、スピーカー７ｂ、スピーカーケーブル７ｃから成り、これらの構成部品は二酸化炭素除去処理装置６の筺体６ａに取り付けられている。アンプ装置７ａは、電源プラグ７ａａ、電源スイッチ７ａｂ、外部入力端子７ａｃ、ボリューム調節つまみ７ａｄなどが露出されており、電源プラグ７ａａは電源コンセント８に接続されている。（図４参照）【０００８】二酸化炭素除去処理装置６の使用においては、以下の手順による。
（１）網蓋６ｄを開け除去処理媒体カートリッジ６ｃを所定の位置にセットする。
（２）網蓋６ｄを閉める。
（３）電源スイッチ６ｈをＯＮにする。
（４）本装置の作動中は図５の如く、電動ファン６ｂと酸素吹出しノズル４より吹出された酸素の流れによってカプセル内部で空気の循環９を作りだし、二酸化炭素を効率よく除去する。
（５）一定の処理時間が経過した除去処理媒体カートリッジ６ｃを交換する場合は、網蓋取手６ｆを持って網蓋６ｄを開け、使用済み除去処理媒体カートリッジ６ｃを取り出した後、新しい除去処理媒体カートリッジ６ｃを所定の位置にセットして網蓋６ｅを閉める。【０００９】音響装置７の使用においては、アンプ装置７ａの外部入力端子７ａｃに、収容された人が自分の携帯音楽プレーヤーなどを接続し、電源スイッチ７ａｂをＯＮにして、ボリューム調整つまみ７ａｄで適度な音量に調節し、スピーカー７ｂから好みの音楽などを流してリラックスして鑑賞する。
【図面の簡単な説明】
【００１０】
【図１】従来の酸素カプセル内部に具備される装置を表わす図
【図２】本発明で追加具備する装置を表わす図
【図３】二酸化炭素除去処理装置の部品構成を示す図
【図４】音響装置の部品構成を示す図
【図５】カプセル内部の空気の循環を示す図
【符号の説明】
【００１１】１高気圧酸素カプセル
２ベッド
３加圧バルブ
４酸素吹出しノズル
５緊急排気バルブ
６二酸化炭素除去処理装置
６ａ筐体
６ｂ電動ファン
６ｃ除去処理媒体カートリッジ
６ｄ網蓋
６ｅ網蓋ヒンジ
６ｆ網蓋取手
６ｇ電源プラグ
６ｈ電源スイッチ
７音響装置
７ａアンプ装置
７ａａ電源プラグ
７ａｂ電源スイッチ
７ａｃ外部入力端子
７ａｄボリューム調整つまみ
７ｂスピーカー
７ｃスピーカーケーブル
８電源コンセント
９空気の循環
【図１】
2011143223.tif 000003
【図２】
2011143223.tif 000004
【図３】
2011143223.tif 000005
【図４】
2011143223.tif 000006
【図５】
2011143223.tif 000007
(57)【要約】      （修正有）【課題】汚物の処理の簡素化と、トイレに流せるナプキンの提供。【解決手段】市販の水に流せるティッシュの上にメッシュ状の布を置き、テッシュの下側最外層をビニールで防水する。ビニールを取り外せば簡単にティッシュが捨てられ、ビリールとメッシュ状の布はゴミ入れに廃棄する。【選択図】なし【特許請求の範囲】
【発明の詳細な説明】
この発明の長所
▲１▼ティッシュの形をこわさずそのまま使えて、製品作りが安価ですむ。
▲２▼防水シートが、必需だが、このトイレに流せるナプキンは買物袋の白い、うすくてごわごわしなくて安価ですむ。
▲３▼ティッシュを捨てる時、手がよごれない
▲４▼製品にして、出荷する時、厚みがあまりないので１０個〜２０個のコンパクトな箱ですむ。
欠点
▲１▼両面テープのはり付けが、非常にむずかしい。
▲２▼皮ふなどに、かぶれしっしんなど不安。
2011143229.tif 000002
【手続補正書】
【提出日】平成22年10月28日(2010.10.28)
【手続補正１】
【補正対象書類名】明細書
【補正対象項目名】全文
【補正方法】変更
【補正の内容】
【発明の詳細な説明】
市販の水に流せるテッシュの材料を使って、ナプキンを作ります。
ナプキンを包みこんでいる上部と底部、それのビニール  それに、肌に当るメッシュの布は、流せないので、ゴミ入れにすてる必要があります。
【図面の簡単な説明】
【図１】点Ａ・Ｂ・Ｃ・Ｄ・は水に流せる。ティツシュの大きさです。全体の大きさは、タテ１５ｃｍヨコ３０ｃｍ。点Ａ・Ｂ・Ｅ・Ｆは、開いた状態です  こうして作っていきます。Ｃ・Ｄ・が折り目です。点Ｇ・Ｈ・Ｉ・Ｊ・は一番外側のビニールで、防水します。タテ１５ｃｍヨコ３０ｃｍぐらいになります。点Ａ・Ｂ・Ｅ・Ｆ・のティッシュの上にメッシュ状の布を置きます。点Ｇ・Ｈ・Ｉ・Ｊの最内側のビニールははぎやすい様に切れ目をＫ・Ｌに入れておきます。しや線の部分には、市販されている肌にやさしいソックタッチの、のりを使用させてもらいます。くつ下止めの接着剤です。
【図２】４角形Ａ・Ｂ・Ｃ・Ｄはティッシュを、４〜５枚重ねています。４角形Ｅ・Ｆ・Ｇ・Ｉ・は、ビニールを防水に使用します、最も外側。まわりのしゃせんの部分はのりづけのための、はんいです。ソックタッチと言うくつ下止めの接着剤を使用させて、もらいます。タテ１５ｃｍ、ヨコ１８ｃｍぐらいの大きさになります。いちばん上部に、四角形Ｅ・Ｆ・Ｇ・Ｉ・のビニールをかぶせます。
【手続補正２】
【補正対象書類名】特許請求の範囲
【補正対象項目名】全文
【補正方法】変更
【補正の内容】
【特許請求の範囲】
【請求項１】
水に流せるティュシュの材料などを使ってトイレに流せるナプキンを作る。
一番上部のビニールにはぎやすい切れ目を入れておく。
【手続補正３】
【補正対象書類名】図面
【補正対象項目名】全図
【補正方法】追加
【補正の内容】
【図１】
2011143229.tif 000003
【図２】
2011143229.tif 000004
(57)【要約】      （修正有）【課題】ハンガーに服をかける際、ビニールカバーが外れやすい。【解決手段】ハンガーにクリップを付け、ビニールカバーをハンガーと一体化させることにより服をかけ易くする。【選択図】図２
2011143225.tif 000002
【特許請求の範囲】
【請求項１】
ハンガーにクリップを付け、ビニールのカバーをハンガーと一体化させ服を掛ける時に、よりやりやすい様にする物である。
【請求項２】
ビニールの頭にある引っ掛け口を破損しないようにするためのクリップ付きハンガーでである。
【発明の詳細な説明】
【技術分野】
【０００１】  クリーニング屋に依頼した服に付いてくるハンガーとビニールをクリップにより一体化させる。
【背景技術】
【０００２】  ハンガーに服をかける際ビニールカバーが外れやすい物であった。
【発明の開示】
【発明が解決しようとする課題】
【０００３】  ビニールカバーを掛ける際ビニールトップが外れやすいことで使いづらい物のであった。
【課題を解決するための手段】
【０００４】  ハンガーの上にビニールカバーをつける際トップにクリップを付けて止める事。
【発明の効果】
【０００５】  ビニールカバーが外れず服を掛けやすくなる
【発明を実施するための最良の形態】
【図面の簡単な説明】
【０００６】
【図１】は、ハンガーの上にクリップ１を付けた物。
【図２】は、ハンガーの上にクリップ１、クリップ２を付けた物。
【図３】は、バネ型のクリップ。
【図１】
2011143225.tif 000003
【図２】
2011143225.tif 000004
【図３】
2011143225.tif 000005
(57)【要約】【課題】ヘッドフォンを着用しながら横向きに寝ると、ヘッドフォンに頭の重さによる負担がかかってしまい、故障の原因になる可能性がある。しかもイヤーパットの部分だけでは頭を支えるにはクッション性が低く、局部に頭を支える形になるので不快感を伴ってしまうと考えられる。  本発明は、横向きに寝ながらヘッドフォンを使用するためのヘッドフォン着用枕を提供する。【解決手段】  ヘッドフォン着用枕の中にヘッドフォンのハウジングが入るような穴を設け、その穴からヘッドフォン着用枕の外側に向けて、ヘッドフォンのヘッドバンドが入るようにテーパ状の窪みを設ける。【選択図】図１
2011143215.tif 000002
【特許請求の範囲】
【請求項１】
枕にヘッドフォンのハウジングとヘッドバンドの一部を収めることが出来るように、穴もしくは窪みを設けたヘッドフォン着用枕。
【発明の詳細な説明】
【技術分野】
【０００１】  本発明はヘッドフォンを着けながら横向きに寝るためのヘッドフォン着用枕に関するものである。
【技術背景】
【０００２】  従来、ヘッドフォンを使用する際に、主に座ったり仰向きに寝たりして使用していた。
【発明の開示】
【発明が解決しようとする課題】
【０００３】  テレビなどを観る際にヘッドフォンを着用しながら横向きになって寝ると、ヘッドフォンのハウジングやイヤーパット、ヘッドバンドといった部分に頭の重さによる負担がかかってしまい、故障の原因になる可能性がある。しかもイヤーパットの部分だけでは頭を支えるにはクッション性が低く、局部に頭を支える形になるので不快感を伴ってしまうと考えられる。
従来からある穴が中心に開いたドーナッツ型のクッションを使用したとしても、本発明のようなヘッドフォンを着用しながら枕として使用するためのものではなく、中心に開いた穴がヘッドフォンのハウジング部に入るとも限らない。もし入ったとしてもヘッドバンドの部分を頭でクッションに押し付けるような形になるためヘッドバンドの部分に負担がかかってしまうし、頭部にも不快感を伴うと考えられる。
本発明は、以上の問題点を解決するためになされたものである。
【課題を解決するための手段】
【０００４】  ヘッドフォン着用枕の中にヘッドフォンのハウジングが入るような穴を設ける。その穴からヘッドフォン着用枕の外側に向けて、ヘッドフォンのヘッドバンドが入るようにテーパ状の窪みを設ける。
以上構成よりなるヘッドフォン着用枕。
【発明の効果】
【０００５】  ヘッドフォンのハウジングとヘッドバンドの一部が枕の中に入るような形になるので、横になって寝ながらヘッドフォンを着用しても頭の重さがヘッドフォンに伝わりにくく、ヘッドフォンへの負担と頭部への不快感を軽減させることが出来る。
【発明を実施するための最良の形態】
【０００６】  以下、本発明の実施の形態を説明する。
（イ）ヘッドフォン着用枕（１）の中にヘッドフォン（６）のハウジング（９）が入るような丸い穴（５）を設ける。
（ロ）ヘッドフォン着用枕（１）に開いている穴（５）から外側に向けて、ヘッドフォン（６）のヘッドバンド（８）が入るようにテーパ状（２）の窪みを設ける。
（ハ）ヘッドフォン着用枕（１）のテーパ状（２）の部分は穴（５）に近いほど窪みが深く、外側に近づくにつれ窪みが浅くなるように設ける。
（ニ）ヘッドフォン着用枕（１）の外側には取り外し可能なカバー（３）を設ける。
（ホ）ヘッドフォン着用枕（１）の中に綿などのクッション材（４）を設ける。
本発明は以上のような構造である。
本発明を使用するときは、ヘッドフォン（６）を着用し、片方のハウジング（９）がヘッドフォン着用枕（１）の中に開いている穴（５）に入るように横向きに寝て使用する。そのときヘッドフォン（６）のヘッドバンド（８）の一部が、ヘッドフォン着用枕（１）のテーパ状（２）の部分の窪みにも入るようにする。
【図面の簡単な説明】
【０００７】
【図１】本発明の正面図
【図２】本発明の側面図
【図３】本発明を使用する際着用するものの斜視図
【符号の説明】
【０００８】（１）ヘッドフォン着用枕、（２）テーパ状、（３）カバー、（４）クッション材、
（５）穴、（６）ヘッドフォン、（７）イヤーパット、（８）ヘッドバンド、
（９）ハウジング
【図１】
2011143215.tif 000003
【図２】
2011143215.tif 000004
【図３】
2011143215.tif 000005
(57)【要約】【課題】    手が疲れにくく、毛髪や地肌に優しく、手軽に頭皮をマッサージすることができるマッサージ・キャップを提供する。【解決手段】  柔らかく滑らかな可塑性および弾力性のある素材を材料として使用し、頭に載せられる手の平大の浅いボウル状のものを本体として形成し、本体内側全体に半球状もしくは円錐状の凸部を施し、適宜通気孔を設け、簡単にリバース可能としたことを特徴とする頭皮マッサージ具。【選択図】図１
2011143218.tif 000002
【特許請求の範囲】
【請求項１】
柔らかく滑らかな可塑性および弾力性のある素材を材料として使用し、頭に載せられる手の平大の浅いボウル状のものを本体として形成し、本体内側全体に半球状もしくは円錐状の凸部を施し、適宜通気孔を設け、簡単にリバース可能としたことを特徴とする頭皮マッサージ具。
【発明の詳細な説明】
【技術分野】
【０００１】  本発明は、手が疲れにくく、毛髪や地肌に優しく、手軽に頭皮をマッサージすることを目的としたマッサージ・キャップに関するものである。
【背景技術】
【０００２】  従来、頭皮マッサージをする方法として、手や指で直接揉む、ヘアブラシを利用する、柄のついた固い材質のブラシ状やコーム状の頭皮専用マッサージ具を使う方法等がある。
【発明が解決しようとする課題】
【０００３】  そのため、次のような問題点があった。
（イ）手指で直接行う場合、爪で地肌を傷つける心配がある。
（ロ）手指で直接行う場合、力を入れづらく即座に手が疲れる。
（ハ）手指で直接行う場合、養毛剤等の薬剤によっては手荒れすることがある。
（ニ）ヘアブラシや専用マッサージ具に毛髪が絡んで抜けることがある。
（ホ）ヘアブラシや専用マッサージ具によって、意図せぬ力が加わり、地肌を傷つけることがある。
本発明は、以上の問題点を解決しようとするものである。
【課題を解決するための手段】
【０００４】  上記問題を解決するため本発明は、柔らかく滑らかな可塑性および弾力性のある素材を材料として使用し、頭に載せられる手の平大の浅いボウル状のものを本体として形成し、本体内側全体に半球状もしくは円錐状の凸部を施し、適宜通気孔を設け、簡単にリバース可能としたことを特徴とする頭皮マッサージ具である。
【発明の効果】
【０００５】  本発明は、爪やマッサージ具で頭皮を傷つけたり、毛髪が絡んで抜ける心配がなく、手や指の力を増幅して地肌に伝えるので、力を入れる必要がなく手が疲れにくく、頭頂部，前頭部，後頭部をまんべんなくマッサージできる。
【図面の簡単な説明】
【０００６】
【図１】本発明の斜視図
【図２】本発明の断面図
【図３】本発明の底面図
【図４】本発明の使用状態を示した斜視図
【発明を実施するための形態】
【０００７】以下、本発明の実施の形態を説明する。
（イ）柔らかく滑らかな可塑性および弾力性のある素材を材料とする。
（ロ）頭に載せられる手の平大の浅いボウル状のものを本体（１）として形成する。
（ハ）本体（１）内側全体に半球状もしくは円錐状の凸部（２）を施す。
（ニ）適宜通気孔（３）を設ける。
（ホ）リバース可能とする。
本発明は、以上の構成よりなっている。
本発明を使用する場合、図４のごとく頭頂部，前頭部（生え際），後頭部に本体（１）を載せた状態にし、好みに応じて三種類の方法を使い分けることができる。一つ目は、平手の状態で、指や手のひら全体で軽くたたく、即ちパッティング。二つ目は、両手指を使って、キャップ全体をつかむように揉む。三つ目は、両手で頭を抱え込むようにして持ち、前後左右小刻みにゆする。さらに衛生的に保つための手入れとして、内側と外側を反転させて凸部（２）間の谷間を広げて洗う。
【符号の説明】
【０００８】１    本体
２    凸部
３    通気孔
【図１】
2011143218.tif 000003
【図２】
2011143218.tif 000004
【図３】
2011143218.tif 000005
【図４】
2011143218.tif 000006
(57)【要約】      （修正有）【課題】寝たきりの病人等がベットの上でも、立ち上がらずとも半身を起こして、足先から手先を含めた全身機能の運動を可能とする運動具を提供。【解決手段】この運動器具は立ち上がれなくても、半身を起こすだけで体全体の運動がはかられます。両足の裏で支えるバー１に伸縮するロープ２をつなぎ、手もとの握りバー３の組み合わせで解決がはかられます。万一、足にふんばる力が欠けていれば、両足の裏で支えるバー１のストッパーからベッド等のフレームに固定すれば運動が可能になります。【選択図】図１
2011143217.tif 000002
【特許請求の範囲】
【請求項１】
寝たきりの病人等の方々の為に、ベットの上や床等の上で足を伸ばして、両足の裏で支えるバー（１）に伸縮ロープ（２）を取り付け、手もとの握りバー（３）で両手又は片手で、背中を前傾、裏傾に倒しながらロープ（２）を伸縮をさせながら運動する器具。
【請求項２】
足もとのバー（１）は楕円形でも、様々な形でも良いが、足裏への健康の為の刺激を与える為に丸みのある突起物（４）を多く付ける。
【請求項３】
個々人の身長差等に対応する為のロープの長さ調整の為にバーの裏側にロープ止めのストッパー（５）を複数づつ設ける。尚、ロープが二本式の場合にはストッパーは左右に設ける。
【発明の詳細な説明】
【技術の分野】
福祉機器分野
【技術の背景】
寝たきりの病人等のリハビリ器具が無い現状に於いて、寝たきりの病人等は健康へのチャレンジ・はりあいを失わされているのが現状です。
【発明の開示】
【発明が解決しようとする課題】寝たきりの病人等がベットの上でも、立ち上がらずとも半身を起こして、足先から手先を含めた全身機能の運動を可能とします。
【課題を解決する為の手段】
両足裏で伸縮するロープの繋がれたバーを押さえ、そのロープに繋がれた手もとバーを握って、上半身を前傾・後傾させながら足先から手先、腕から全身に力が行きわたり全身の運動機能の回復に努められ精神も爽快になる。
【発明の効果】
この立ち上がらず、上半身を起こすだけで全身の運動が可能になり、気分も爽快になり、寝たきりの方々が便秘と下剤投与の繰り返しから脱皮出来れば、本人は勿論、介護にあたる人々も歓ばれるでしょう。
【発明を実施する為の最良の形態】
両足裏で抑えるバー（１）に伸縮するロープー（２）を取り付け、ロープの手もとの握りバー（３）で半身を起こして半身の前傾・後傾の繰り返し運動で全身運動を立たずとも行え、爽快感が出て、体全体の機能回復に役立ちます。
【図面の簡単な説明】
【図１】斜視図
【図２】平面図
【図３】側面図
【図４】斜視図
【符号の説明】１    両足の裏で支えるバー
２    伸縮ロープ
３    手もとの握りバー
４    足裏に刺激を与える突起物群
５    ロープ止め兼長さ調整のストッパー
【図１】
2011143217.tif 000003
【図２】
2011143217.tif 000004
【図３】
2011143217.tif 000005
【図４】
2011143217.tif 000006
(57)【要約】【課題】従来の焼き網は、網本体が格子状になっているものや、網部分が縦または横に複数本の細い棒を梯子状に並べた形状をしている。そのため網の交差部分や網と枠の接合部分は洗い難く、また汚れも落とし難い。【解決手段】網部分を網の枠から連続して螺旋状または波形状に形成し、網部分と網の枠部分を連続体として形成する。したがって網部分内に生じる格子状の交点がなくなるとともに網部分と網の枠部分との接合点がなくなる。それにより、洗浄時間が短縮され、汚れも容易に落とすことができる。【選択図】図１
2011143214.tif 000002
【特許請求の範囲】
【請求項１】
網部分を網の枠部分から連続して螺旋状または波形状に形成することにより、網の枠部分に網部分との接合点を持たない焼き網。
【発明の詳細な説明】
【技術分野】
【０００１】  本発明は、魚などの食材を焼く際に用いる焼き網に関するものである。
【背景技術】
【０００２】  コンロ、オーブン、ロースター、グリルなどで魚などの食材を焼くことを目的とした網の形状は、格子状になっているか、縦あるいは横に数本ないし十数本の細い棒を梯子状に渡した形状になっている。
【先行技術文献】
【特許文献】
【０００３】
【特許文献１】特開２００６−１２２６１４（図１および図２）
【発明の概要】
【発明が解決しようとする課題】
【０００４】  従来の焼き網で生じる問題点は、使用した後に行う洗浄に時間が掛かる点と汚れを容易に落とすのが困難な点である。
そこで、本発明は網に生じる交点や接合点をなくすことにより、一連の動作で網を洗うことができ、また汚れを容易に落とすことができることを目的とする。
【課題を解決するための手段】
【０００５】  請求項１に記載の発明は、網部分を網の枠部分から連続して螺旋状または波形状に形成し、網部分と枠部分を連続体とすることにより、網部分内に生じる格子状の交点をなくすとともに網部分と枠部分の接合点をなくすものである。
【発明の効果】
【０００６】  本発明の焼き網は、網の交差部分および網と枠との接合部分において網を洗う際の動作が中断されることがないため、洗浄時間が短縮されるという利点がある。また交差部分および接合部分自体をなくすことにより、従来の焼き網にあった交差部分や接合部分に生じる隅が存在しないため、汚れを容易に落とすことができるという利点がある。
【図面の簡単な説明】
【０００７】
【図１】本発明の一実施形態（螺旋状）を示す斜視図である。
【図２】本発明の一実施形態（波形状）を示す斜視図である。
【図３】本発明の一実施形態（波形状）を示す斜視図である。
【発明を実施するための形態】
【実施例】
【０００８】  図１のように焼き網本体に適宜支持部分を備えることにより、コンロ上で直接使用する場合に加え、ロースター、グリル、オーブンなどの中でも使用することができる。また、この支持部分により網部分の強度を向上させることも可能となる。【０００９】  図１は全体的に長方形になっているが、本発明は網部分に交点がないこと及び網の枠部分と網部分とに接合点がないことを特徴とするため、枠部分や網部分の形状を円形または楕円形などの形にすることも可能である。【００１０】  図１は網部分を螺旋状に形成しているが、本発明は網部分に交点がないこと及び網の枠部分と網部分とに接合点がないことを特徴とするため、図２や図３のように網部分の形状を波形にすることも可能である。
【符号の説明】
【００１１】１  焼き網本体（枠に相当する部分）
２  焼き網本体（網に相当する部分）
３  焼き網本体（支持部分）
【図１】
2011143214.tif 000003
【図２】
2011143214.tif 000004
【図３】
2011143214.tif 000005
(57)【要約】      （修正有）【課題】無呼吸睡眠障害による症状やイビキを緩和するために、移動する回転体を袋部に設けた側臥睡眠誘導帯を提供する。【解決手段】腹部に装着する帯１の背中にあたる部位に復元力のある袋部２を設け、袋部２の内部を円滑に移動する回転体３を設けた。回転体３が袋部２内部を円滑に移動できるよう滑り板４を設けた。袋部２に設けた伸縮部５によって使用者の体型に合わせて回転体３の停止位置を調整できるようにした。睡眠中に帯１がずれてわき腹に回り込むのを防止する横ずれ防止ベルトを設けた側臥睡眠誘導帯を特徴とする。【選択図】図１
2011143212.tif 000002
【特許請求の範囲】
【請求項１】
身体に装着する帯の背面部分において袋部を設け、その袋部の内部を円滑に移動する回転体を設けたことを特徴とする側臥睡眠誘導帯。
【発明の詳細な説明】
〔０００１〕
この発明は、睡眠時無呼吸障害を緩和する側臥睡眠誘導帯に関するものである。
【背景技術】
【０００２】最近の医学の進歩によって、睡眠時無呼吸症候群が人体に重大なダメージを与えることが解明されてきた。しかし、一般的には本人の自覚症状があまりないことから自ら進んで病院で受診する人は少ない。イビキなどで同室の家族が苦しんでいても家庭で使える安価で手軽な防止具が少ない。
【発明の開示】
【発明が解決しようとする課題】
【０００３】側臥状態で睡眠すれば、舌根が自重で垂れ下がり気道を狭くすることを防ぎ、睡眠時無呼吸障害やイビキを軽減できることは証明されている。睡眠時無呼吸障害を緩和する酸素吸入器、電動枕やマウスピース等はすでに種々開発されている。
（イ）従来の酸素吸入器や電動枕等の発明品は、その多くが電気的に制御するなど製造コ      ストが高く一般にあまり普及していない。
（ロ）空気式背枕や顎固定ヘッドバンドなどは、設置部分が身体の胸部や頭部にあるため      装着時の違和感や、寝苦しさ、肩こり等を起こしている場合がある。
（ハ）病院で治療するほどのことでもないと考えている人々にとって、家庭で手軽に使用      できランニングコストも不要な補助具が十分に普及していない。
本発明は、以上のような欠点をなくすためになされたものである。
【課題を解決するための手段】
【０００４】（イ）身体に簡単に装着できる帯の背面部分に弾性材料で構成された袋部を設け、その袋      部の内部を円滑に移動する回転体を設けたものである。
（ロ）帯に取り付けた袋部の内部において、回転体が袋部の内部を円滑に移動するための      滑り板を設ける。体型や取付け位置に合わせて回転体の停止位置を調整するため袋      部に伸縮部を設けている。
（ハ）睡眠中に帯が横ずれしないように、股間部を通す横ずれ防止ベルトを設けている。
本発明は、以上の構成よりなる側臥睡眠誘導帯である。
【発明の効果】
【０００５】側臥睡眠誘導帯は腹部から腰部にかけて装着するので身体への負担が少ない。帯を装着した状態で仰向け寝になると、回転体が背中を圧迫し刺激する。その苦痛を避ける為に無意識状態でも必然的に横向き寝になる。横向き寝状態になると自重で降りた回転体が障害物になり、横向き寝を持続させるよう身体の倒れ止の役目をする。身体の向きによって回転体が上下に移動するので梃子の原理で逆方向に容易に寝返りが出来るため身体への負担が少ない。回転体が背中に当たる強い刺激で仰向け寝になるのは困難な構造となっている。倒れ止め効果を確実にするために、体型や装着位置に合わせて袋部の長さを調整する必要がある。そのため袋部には長さ調整用の伸縮部と固定螺子を設けている。仰向け寝を困難にし側臥睡眠状態を長く維持することができるのが本発明の効果である。
【発明を実施するための最良の形態】
【０００６】以下、本発明を実施するための最良の形態について説明する。
胴体部分に装着する帯（１）の背中部位に弾性材料で構成された復元力のある袋部（２）を設ける。その袋部（２）の内部を円滑に移動する回転体（３）を設ける。
帯（１）に取り付けた袋部（２）において、回転体（３）が円滑に移動するための滑り板（４）を設ける。体型に合わせて回転体（３）の停止位置を調整できるよう、袋部（２）と滑り板（４）に伸縮部（５）を設ける。調整後に帯（１）と滑り板（４）を固定する螺子（６）を設ける。
袋部（２）には使用者の体型に合わせて回転体（３）の大きさや数量を調整できるよう取出し口（７）を設ける。帯が睡眠中にずれないよう股間を通す横ずれ防止ベルト（８）を設ける。本体には手軽に持ち運びが出来るよう取っ手（９）を設ける。本発明は以上のような構造である。
これを使用するときは就寝時に帯を装着し横ずれ防止ベルトを締め、横向き寝で横になる。本発明品によって、睡眠無呼吸障害やイビキが軽減できる。
【図面の簡単な説明】
【０００７】
【図１】本発明の使用図（１部断面図）である。
【図２】本発明の断面図である。
【図３】本発明の側面断面図である。
【図４】本発明の正面図である。
【符号の説明】
【０００８】１  帯
２  袋部
３  回転体
４  滑り板
５  伸縮部
６  固定螺子
７  取出し口
８  横ずれ防止ベルト
９  取っ手
【図１】
2011143212.tif 000003
【図２】
2011143212.tif 000004
【図３】
2011143212.tif 000005
【図４】
2011143212.tif 000006
(57)【要約】【課題】ゲーム用コントローラスティック頭頂部カバーはない。現状、ゲーム用コントローラのスティック頭頂部の滑り止めカバーが破損した場合に、補修する手立てがない。ゲーム用コントローラスティック頭頂部滑り止めカバーの破損が生じた際に、スティックカバーを装着する事により、スティック操作を本来の滑り止め効果のある操作を可能な様にする。又、未破損品に装着することで、破損防止及び操作性向上を可能にできる。【解決手段】ゲーム用コントローラスティックカバー滑り止めカバー破損品にスティックカバーを装着する。これにより滑り止め効果が回復され、本来の操作性を回復できる。また、未破損品に装着することで、破損回避及び操作性も向上する。【選択図】図１
2011143216.tif 000002
【特許請求の範囲】
【請求項１】
本発明は、ゲーム用コントローラスティック頭頂部の滑り止めカバー破損回避及び操作性向上の改善を特長とした、ゲーム用コントローラスティックカバーである。
【発明の詳細な説明】
【技術分野】
【０００１】本発明は、ゲーム用コントローラスティック頭頂部の滑り止めカバー破損回避及び、操作性向上の改善を特長としたゲーム用スティックカバーである。
【背景技術】
【０００２】ゲーム用コントローラスティック頭頂部の装着カバーはない。
【発明の概要】
【発明が解決しようとする課題】
【０００３】ゲーム用コントローラスティック頭頂部にある滑り止めカバー破損時のカバー交換。
従来の頭頂部滑り止めカバーに新たに装着する事により頭頂部の破損防止及び、操作性の向上。
【課題を解決する為の手段】
【０００４】ゲーム用コントローラ頭頂部滑り止めカバー部にスティックカバーを装着する。
未破損品に装着する事による、頭頂部の破損防止。
破損品に装着する事により滑り止め効果を回復する。
【発明の効果】
【０００５】本発明により、下記効果が得られる。
ゲーム用コントローラスティック操作頭頂部の破損防止。
スティック頭頂部の滑り止めを伴う安定動作の機能回復。
【図面の簡単な説明】
【０００６】
【図１】本発明の上面図、側面図、下面図、断面図である。
【図２】ゲーム用スティックカバーの使用例の図
【符号の説明】（１）ゲーム用コントローラ
（２）ゲーム用コントローラスティック部。
（３）ゲーム用スティックカバー
【発明を実施するための形態】
【０００７】ゲーム用スティックカバーの使用方法。
ゲーム用スティックカバーをスティック頭頂部へ装着する。
【図１】
2011143216.tif 000003
【図２】
2011143216.tif 000004
(57)【要約】【課題】水や日光を遮るという傘本来の目的を維持しつつ、内側からの風を外に逃がす安全な傘を提供する。【解決手段】傘の布の中心に穴を開け、中空の部品と改良した石突を取り付ける。【選択図】図２
2011143210.tif 000002
【特許請求の範囲】
【請求項１】
改良した石突２により、通風口１に水が入り込まないようにすると共に石突２内部を下に凸の形にし、風を逃がしやすくする。
【請求項２】
通風口１の上部に穴を囲う形の中空の部品４を取り付け、傘内部に水が入らない構造にする。
【発明の詳細な説明】
【技術分野】
【０００１】    本発明は、傘が内側から受ける風圧を軽減するために、傘の布の一部を切り取りそこから風を逃がし通風孔とする。また、布に空けた穴から水が入らないように石突部を改良し通風孔の周りに水の浸入を防ぐ中空の部品を取り付けたものである。
【発明の概要】
【発明が解決しようとする課題】    既存の布に穴の無い傘では内側からの風を受けやすくなっており、強風の際に傘が破損したり、傘が飛ばされてしまうという難点があった。本発明は、水や日光を遮るという傘本来の目的を維持しつつ、この課題を解消するためになされたものである。
【課題を解決するための手段】    傘の中棒を中心に、布に通風口１を空けて内側からの風を逃がせるようにした。また、石突２を改良し通風口１に向かう水を防ぐと同時に石突２の内部を下に凸の形にすることによって、風を逃がす構造にしてある。さらに、通風口１の上部に通風口より大きな中空の部品４を取り付け外部から通風口１に向かう水を遮断した。
【発明の効果】    風が強い場所でこの傘を使うと、従来の傘より内側から受ける風が軽減され飛ばされる危険性が減り、安全である。
【図面の簡単な説明】
【図１】  中空の部品・中棒・石突の関係を示した図である。
【図２】  傘全体の断面図である。
【発明を実施するための形態】
布の中心に通風口１を空け、中空の部品４を取り付ける。石突２を中棒の先端に取り付ける。
【符号の説明】１通風口
２石突
３親骨
４中空の部品
５上ろくろ
６下ろくろ
７受骨
８中棒
９布
【図１】
2011143210.tif 000003
【図２】
2011143210.tif 000004
(57)【要約】      （修正有）【課題】従来無かった多機能ハンドクリーナーを作る。【解決手段】騒音を下げるために、圧縮機（ファン）２を本体ギリギリの大きさにし、肉厚も大きく取りプラスチック０．５ｍｍ以上の肉厚で作るとともにサイクロン方式を採用した。また、駆動モータ６の周囲に電池５とフィルター４を交互に配置し、少ないスペースを最大限に活用する。更に、充電時水受け８のスポンジ状の物を利用し加湿、芳香、脱臭などを行う。そして、暗いところでの作業、室内灯、室外では懐中電灯にも利用できるようにするために、外周にＬＥＤ３を取りつけ多機能を得る。【選択図】図１
2011143209.tif 000002
【特許請求の範囲】
【請求項１】
圧縮機を本体直径に依り近づける。
【請求項２】
フイルターと電池を複数外周に並べる。
【請求項３】
充電時水受けにより、芳香脱臭できる。
【請求項４】
室内灯、懐中電灯にも成る。
【発明の詳細な説明】
【技術分野】
【０００１】  本発明は、一般家庭の清音化を図った電池式ハンドクリーナーに関する。
【背景技術】
【０００２】  従来の一般的なハンドクリーナーはファンが小さく、集塵室が大きく、騒音が大きかった、またクリーナーの他の機能を持たない。【０００３】  従来のハンドクリーナーと本品は余りにも形状が違うので説明を省く。
【発明の概要】
【発明が解決しようとする課題】
【０００４】  無駄に大きく、またその割にファンが小さく吸引力が小さく、それ故音だけが、うるさい、また暗い所で作業しにくい、また掃除している時以外何もしない。【０００５】  本発明は、この様な従来の欠点を廃し、問題の視点を変え、従来の物とは全く別の物を創る。
【課題を解決するための手段】
【０００６】  上記の目的を達成するために、本発明はまず、圧縮機（ファン）を本体ギリギリの大きさにし、肉厚も大きく取り、プラスチックで０．５ｍｍ以上の肉厚で作る、其れにサイクロン方式を採用し、其れにより、騒音を格段に下げる。【０００７】  駆動モーターの周囲に電池とフィルターを交互に配置し、少ないスペースを最大限に活用する。【０００８】  大の方は、モーターの後ろにも電池を置く。【０００９】  集塵室は、一般の其れの様に集塵袋を持たない、また残りの微小粉塵は、フィルターにより、吸着する。【００１０】このフィルターは、袋状でなく、捻れ部により、微小粉塵を吸着し、空気は抵抗なく通りすぎる。【００１１】  暗い所でも作業出来るように外周にＬＥＤを数個配置しメタルテープにより止める事により、他にも室内灯にもなり、室外では懷中電灯にも成る。【００１２】  未使用時は充電器の上に置き、その上に水受けをかぶせる事で、水受けに、水、香料、活性炭、等を入れる事により、加湿、芳香、脱臭、等が行われる。【００１３】  充電器の上部形状と、水受けの下部形状は、噛み合う様にする事でクリーナーを使っている時水受けは充電器上に収まる。【００１４】  水受けの水入れ部分はスポンジ状の物を入れておく事により安定した加湿、芳香、脱臭、等が行われる。【００１５】  立って使用する時の為の、集塵量の大きいサイクロン型ホルダーを作っておく事により、依り広い範囲の作業が出来る。【００１６】    ハンディタイプは使用範囲も小さく、また小さい屑籠に、頻繁に捨てることが出来るから、集塵室は、実用最小限にとどめる事により、小型、軽量化が図れる。【００１７】  全体に、無色透明、或いは半透明を多用する事の寄り、室内灯として美しく出来る。【００１８】  表面は硬質コーティングを施す事により、傷が付き難くなる。
【発明の効果】
【００１９】  上記のように構成されたハンドクリーナーは以上のように、クリーナーだけではなく、多くの実体を持つ。
【図面の簡単な説明】
【００２０】
【図１】ハンドクリーナーの横面図である。
【図２】サイクロン羽の正面図である。
【図３】断面Ａ−Ａの図である。
【図４】充電時の図である。
【図５】立って使用時のホルダーの図である。
【符号の説明】  １，サイクロン装置
２，圧縮機（フアン）
３，ＬＥＤ
４，フイルター
５，電池
６，モーター
７，充電器
８，水受け
９，立ち仕事のホルダー
【図１】
2011143209.tif 000003
【図２】
2011143209.tif 000004
【図３】
2011143209.tif 000005
【図４】
2011143209.tif 000006
【図５】
2011143209.tif 000007
(57)【要約】【課題】幼児が洋式トイレの便座に簡単に上がり下りができ、安心してトイレを使用することができる。洋式トイレ専用幼児用折り畳み式踏み台を提供する。【解決手段】踏み台の上板部の中心線上に中央山折り部を設け、上板部の中心部寄りに中央とっ手を設け、前面部に前面中央谷折り部を設ける、上板部と横面部を装着するためと上板部の裏面に支え面部を取り付けるために複数個の蝶つがいを設け、上板部の周縁に縁どりのすべり止めを設け、踏み台を畳む時に支え面が瞬時に収まるための角折り部を設けたことを特徴とする洋式トイレ専用幼児用折り畳み式踏み台。【選択図】図１
2011143208.tif 000002
【特許請求の範囲】
【請求項１】
踏み台の上板部の中心線上に中央山折り部を設け、上板部の中心部寄りに中央とっ手を設け、前面部に前面中央谷折り部を設け、上板部と横面部を装着するためと上板部の裏面に支え面部を装着するために複数個の蝶つがいを設け、上板部の周縁に縁どりのすべり止めを設け、踏み台を畳む時に支え面部が瞬時に収まるための角折り部を設けることを特徴とする洋式トイレ専用幼児用折り畳み式踏み台。
【発明の詳細な説明】
【技術分野】
【０００１】  本発明は、洋式トイレを幼児が使用する際に、簡単に取り扱いができる、折り畳み式踏み台に関するものである。
【背景技術】
【０００２】  従来、洋式トイレの幼児用折畳み式踏み台、幼児用便器前固定用折り畳み式踏み台、幼児用プラスチック等があった。
【先行技術文献】
【０００３】
【特許文献１】特許公開２００５−８７６９５号公報
【特許文献２】特許公開２００４−１９５１７７が号公報
【発明の概要】
【発明が解決しようとする課題】
【０００４】  そのために、次のような問題点があった。
（イ）洋式トイレの便器の前面だけの踏み台の場合、幼児の足の踏場が足りず、踏み外すことがあり上板の横の面も必要であり、大変難しかった。
（ロ）洋式トイレの上板の前面と、両側面の幅を、幼児の体重を支える為の、面の広さと耐久性が必要であった。
（ハ）折り畳み踏み台を狭いスペースに邪魔にならないようコンパクトに畳んで収納する点で大いに難点があった。
本発明は、これらの問題点を解決するためのものである。
【課題を解決するための手段】
【０００５】  踏み台の上板部の中心線上に中央山折り部を設け、上板部の中心部寄りに中央とっ手を設ける。前面部に前面中央谷折り部を設け、上板部と横面部を装着するためと、上板部の裏面に支え面部を装着するために複数個の蝶つがいを設ける。上板部の周縁に縁どりのすべり止めを設け、踏み台を畳む時に支え面部が瞬時に収まるために角折り部を設ける。
以上を特徴とする洋式トイレ専用幼児用折り畳み式踏み台である。
【発明の効果】
【０００６】  踏み台の上板部を前面と両側面を設けたことで、幼児が踏み台を使用の時、踏み場が十分にとってあるので踏み外す心配もなく、安心して上がり下りができ、幼児自身で踏み台を安全に畳んだり形成したり、洋式トイレにはめ込むことができ、狭いスペースに収納しやすく、簡単に取り扱うができる。踏み台を必要としない者にも足元が邪魔になることもない。
【図面の簡単な説明】
【０００７】
【図１】本発明の斜視図
【図２】本発明の内部支え面を表す構造図
【図３】本発明の平面図
【発明を実施するための形態】
【０００８】  以下、本発明の実施の形態について説明する。
（イ）踏み台の上板部（１）の中心線上に中央山折り部（４）を設け、中央山折り部（４）の線上・上板部（１）の中心部寄りに中央とっ手（３）を設ける。
（ロ）前面部（８）に前面中央谷折り部（５）設ける。
（ハ）上板部（１）と横面部（７）を装着するためと、上板部（１）の裏面に支え面部（１０）を装着するために複数個の蝶つがい（９）を設ける。
（ニ）上板部（１）の周縁に縁どりのすべり止め（２）を設ける。
（ホ）踏み台を畳む時に支え面部（１０）が瞬時に収まるための角折り部（６）を設ける。
本発明は以上のような構成で、これを使用するときは、上板部（１）の中央山折り部（４）の部分を軽く下に押すことで瞬時に形成され、踏み台として使用でき、使用後は、踏み台の上板部（１）の中央山折り部（４）の中央とっ手（３）を軽く上に引き上げることで瞬時にコンパクトに畳め、取り扱いが大変、簡単であり、狭いスペースに収納することができる。
【符号の説明】
【０００９】１  上板部            ５  前面中央谷折り部      ９  蝶つがい
２  すべり止め        ６  角折り部            １０  支え面部
３  中央とっ手        ７  横面部
４  中央山折り部      ８  前面部
【図１】
2011143208.tif 000003
【図２】
2011143208.tif 000004
【図３】
2011143208.tif 000005
(57)【要約】【課題】  従来のトイレットペーパーホルダーは、その多くはトイレットペーパーを交換するとき中心を合わせて持ち上げなければならず、これが就学前の子供や高齢者には手間になっていた。【解決手段】  樋状をした器に４本のローラーを組み込み、その上にトイレットペーパーを置くだけでトイレットペーパー交換が済むようにしたトイレットペーパーホルダー。【選択図】図１
2011143207.tif 000002
【特許請求の範囲】
【請求項１】
樋状をした器の底部に摩擦を軽減するためのローラー３本とペーパー引き取り部分に１本の計４本のローラーを組み込んだトイレットペーパーホルダー
【発明の詳細な説明】
【技術分野】
【０００１】  本発明は、トイレットペーパーの交換時の容易さを図ったトイレットペーパーホルダーに関する。
【背景技術】
【０００２】  従来のトイレットペーパーホルダー（以下ペーパーホルダー）は、トイレットペーパー（以下ペーパー）の芯を左右にある支持軸によって支持された吊り型なので、ペーパー交換時にペーパーをホルダーの中心に合わせることが手間になっていた。【０００３】  これに対し、ペーパーを交換するときペーパーをホルダー上に置くだけで交換が済むような置き型ペーパーホルダーを提供する。
【発明の開示】
【発明が解決しようとする課題】
【０００４】  以上に述べた従来のペーパーホルダーは、ペーパー交換時ホルダーの中心にペーパーを合わせる必要があり、これが就学前の子供や高齢者には手間になっていた。【０００５】  本発明は、このような従来の構造が有していた問題を解決して、就学前の子供から高齢者に至るまでペーパー交換が容易にできるようにすることを目的とする。
【課題を解決するための手段】
【０００６】  そして、本発明は、上記目的を達成するためにペーパーの支持方法を従来の支持軸による吊り型構造から、単純構造の樋状の器に摩擦を軽減するためのローラーを組み込んだペーパー受け面を形成して、ローラー面図１〜図３の上にペーパーを置くだけで交換が済む置き方ペーパーホルダーとした。
【発明の効果】
【０００７】  上述してきたように、単純構造となったローラー付きペーパー受け面にペーパーを置くだけでペーパー交換が済むようになったことは、就学前の子供から高齢者に対しやさしさとなることは大きな効果と考える。
【発明の実施するための最良の形態】
【０００８】  以下、本発明の実施の形態を図１〜図３に基づいて説明する。
【０００９】  先ず、材料に金属平板を使用する場合、ペーパーホルダー本体の大きさはペーパーの各寸法を基準とする。ローラーを組み込む部分の切り込みの寸法と数量、ローラーの径は約１２ｍｍ、長さは、ペーパーの巾、切り込み巾はローラーの下部がペーパーホルダー本体に接触しない程度の約１０ｍｍとする。この各寸法に基づいて、ホルダー本体の底部に当たる部分に約３０ｍｍ間隔で３ヵ所、ペーパーホルダーの端のペーパー引き取り部分に１ヵ所の計４ヵ所に切り込みを入れる。
【００１０】  次に、切り込みにそって切り抜きを実施する。このときホルダー本体の切り込みのうちローラーの両端に当たる部分に約７ｍｍ程度を本体側に残して切り抜く。そして、この本体に残した部分を垂直に立ち上げてローラー軸の支持部を形成する。切り抜きが終了したところで樋状のペーパーホルダーとして一定の強度を有するならば材料の種類は問わない。それに伴い手法を変えることも可能である。
【実施例】
【００１１】  近年、ペーパーの質が向上し非常に柔らかくなった。それはペーパーを引き取るときの摩擦抵抗となりやや重くなる。これを少なくするためにペーパーをホルダーに置くときペーパーをホルダー底部から引き取り部ローラーに導くように置くと軽く引き取ることができる。ただし、その反対に置いても少し抵抗を感じるが問題なく引き取ることができる。ただペーパーをホルダーに置くだけで使用できるので便利である。
【図面の簡単な説明】
【００１２】
【図１】  ペーパーホルダー側面図
【図２】  ペーパーホルダー平面図
【図３】  ペーパーホルダー斜視図
【符号の説明】
【００１３】  １  ペーパーホルダー本体
２  ローラー軸支持部
３  ローラー
４  ペーパー引き取り部ローラー
【図１】
2011143207.tif 000003
【図２】
2011143207.tif 000004
【図３】
2011143207.tif 000005
(57)【要約】【課題】通常は一枚のカードに関して対応しており、複数枚をスタンドしたりするのには面倒であった。加えて、バリエーションが楽しめてカードの大小に関わらず簡便に利用できるコンパクトなカードスタンドが求められていた。【解決手段】保持具（１）で支持される複数枚の板状プレートからなる、プレートブロック（２）の板状プレート間にカード（３）を保持することを特徴としたカードスタンドとした。【選択図】図１
2011143659.tif 000002
【特許請求の範囲】
【請求項１】
保持具（１）で支持される複数枚の板状プレートからなる、プレートブロック（２）の板状プレート間にカード（３）を保持することを特徴としたカードスタンド
【発明の詳細な説明】
【技術分野】
【０００１】
卓上で利用される写真やはがきなどのカード類を立てて保持するカードスタンドに関わる発明である。
【背景技術】
【０００２】
通常の写真、はがき、値札、名刺などカード類を卓上で立てる際には、ベースとなる台にスリットをいれて挟み込んだり、台にクリップをつけて、カード類を保持したものが知られている。また、写真などは透明な板やホルダーできちんと保持して、立てる形式が多く用いられている。
【先行技術文献】
【特許文献】
【０００３】
【特許文献１】特願２００４−２３２４０４
【特許文献２】特願２００４−２１７７７９
【特許文献３】特願２００４−８０２０３
【発明の概要】
【発明が解決しようとする課題】
【０００４】
しかしながら、通常は一枚のカードに関して対応しており、複数枚をスタンドしたりするのには面倒であった。
加えて、バリエーションが楽しめてカードの大小に関わらず簡便に利用できるコンパクトなカードスタンドが求められていた。
【課題を解決するための手段】
【０００５】
保持具（１）で支持される複数枚の板状プレートからなる、プレートブロック（２）の板状プレート間にカード（３）を保持することを特徴としたカードスタンドとした。
【発明の効果】
【０００６】
本発明のカードスタンドによると、保持具を支点として、板状のプレートを扇状に展開できるため、様々なバリエーションをともなったカードスタンドとして利用できる。
【０００７】
加えて、板状プレート一枚、一枚の隙間にカードを自由な深さで挟み込むことができるため、簡便に複数枚のカードを保持しつつ、立てること可能である。
【図面の簡単な説明】
【０００８】
【図１】本発明の実施形態を示す説明図である。
【図２】本発明の実施形態を示す説明図である。
【図３】本発明の実施形態を示す説明図である。
【発明を実施するための形態】
【０００９】
本発明の具体的な形態について、図面に基づいて説明する。素材としては、縦と横が約２０ｍｍ程度で厚さ1ｍｍ程度の厚紙を板状プレートとして用いる。板状プレートは紙でもいいし、樹脂などであってもよい。もちろん板状スレートであればよいが、好ましくは可塑性のある材料のほうが、カード（３）を保持しやすく便利である。プレートブロック（２）の材料として用いることができればよい。前記厚紙の一端に通し穴を開けたものを１０枚〜２０枚程度に重ね、プレートブロック（２）とし、棒状の保持具（１）で通し穴を貫通させて、保持させる。（図１）
その板状プレート間にカード（３）を挟むことで、図２のようにプレートブロック（２）でカード（３）を保持する。場合によっては、図３のように扇のように開いて適宜、適当なスタイルで利用可能である。
保持具（１）は金属が好ましいが、複数からなる板状プレートを保持できればよく、特に材質に限定はない。
【符号の説明】
【００１０】
１        保持具
２        プレートブロック
３        カード
【図１】
2011143659.tif 000003
【図２】
2011143659.tif 000004
【図３】
2011143659.tif 000005